(57)【要約】  【課題】  トロリーに備えた医療用バスケット内部に可動仕切りを設け、トロリーを小型化することにより、薬剤アンプルの取り揃えミスを防止することができ、患者への移送効率を向上することができる医療用バスケット内仕切り機構、及びトロリーを提供する。  【解決手段】  移送用のトロリーに搭載してあり、薬剤アンプルが横方向から搬入される略直方体形状の医療用バスケット１１内を仕切る医療用バスケット内仕切り機構であって、医療用バスケット内を仕切る仕切り部材１７と、医療用バスケット１１の薬剤アンプルが搬入される方向の両側端部に着脱可能にしてあり、仕切り部材１７を摺動可能に貫挿してある支持棒１６とを備え、仕切り部材１７は、薬剤アンプルが外部から搬入された場合に加わる衝撃荷重に応じて、支持棒１６に沿って摺動する。【選択図】        図１
2006167047.tif 000002
【特許請求の範囲】
【請求項１】
移送用のトロリーに搭載してあり、薬剤アンプルが横方向から搬入される略直方体形状の医療用バスケット内を仕切る医療用バスケット内仕切り機構であって、
前記医療用バスケット内を仕切る仕切り部材と、
前記医療用バスケットの前記薬剤アンプルが搬入される方向の両側端部に着脱可能にしてあり、前記仕切り部材を摺動可能に貫挿してある支持棒とを備え、
前記仕切り部材は、前記薬剤アンプルが外部から搬入された場合に加わる衝撃荷重に応じて、前記支持棒に沿って摺動するよう構成してあることを特徴とする医療用バスケット内仕切り機構。
【請求項２】
前記仕切り部材は、板状であり、その外周にリブを設けてあることを特徴とする請求項１記載の医療用バスケット内仕切り機構。
【請求項３】
前記仕切り部材は、前記医療用バスケットの開口部側への突出部を有し、
該突出部は、前記医療用バスケットの開口部側で前記リブに係脱することが可能に構成してあることを特徴とする請求項１又は２記載の医療用バスケット内仕切り機構。
【請求項４】
請求項１乃至３のいずれか一項に記載の医療用バスケット内仕切り機構を有する医療用バスケットを備えることを特徴とするトロリー。
【発明の詳細な説明】
【技術分野】
【０００１】
本発明は、薬剤アンプル払出装置から排出される薬剤アンプルを必要とする患者の病室まで移送するトロリーのバスケット内を、薬剤アンプルの種類、個数等に応じて適切な幅に仕切る医療用バスケット内仕切り機構、及びトロリーに関する。
【背景技術】
【０００２】
病院に入院している患者へ注射、点滴等により投与する薬剤は多種多様であり、薬剤の投与ミスを未然に防止することができる体制を整えることは、人命を扱う病院システムとして必須事項の１つとなっている。薬剤の投与ミスを防止するシステムの１つとして、薬剤アンプルのセットアップを自動的に行う薬剤アンプル払出装置を採用する病院が急増している。
【０００３】
薬剤アンプル払出装置は、内部に薬剤アンプルの排出を制御するコンピュータシステムを内蔵しており、病院内の注文システムにより各病棟で入力された注射箋情報を、通信ネットワークを通じて、薬剤アンプル払出装置本体のコンピュータシステムに取り込み、注射、点滴等に用いる薬剤アンプルについて、患者別／施用別にセットアップを行って横付けしてあるトロリーのバスケット内に排出する。これにより、薬剤アンプルを選別して分類する薬剤師の業務の効率化、薬剤アンプルの取り揃えミスの防止等の効果が期待できる。
【０００４】
図７は、薬剤アンプル払出装置から排出された薬剤アンプルを移送する医療用バスケットを運搬する従来のトロリーの斜視図である。従来のトロリーは、床面に略平行な面内で回動可能な車輪受部を介して、底部に移動用の車輪１、１、・・・を少なくとも４輪備えている。運搬者は、トロリーの上枠部に備えている把持部２を把持して、トロリーを移動させる。薬剤アンプルは、トロリーの底面と略平行であり、把持部２が設けてある方向に摺動することが可能に４段乃至５段設けてある医療用バスケット３、３、・・・内に排出される。
【０００５】
薬剤アンプル払出装置から排出された薬剤アンプルは、アンプルの表面に、薬剤の種類、投与対象者、投与条件、病室番号等が印字されたシール状の識別情報が貼付してある。運搬車は、排出された薬剤アンプルを必要とする患者の病室へ直接搬送するのではなく、一旦ナースステーションのような集約施設へ移送し、薬剤師、看護婦等が識別情報の内容を確認して、薬剤アンプルの供与先毎に分類した後、各患者の担当の看護婦が、投与を必要とする患者の元に搬送する。
【発明の開示】
【発明が解決しようとする課題】
【０００６】
しかし、上述した従来のトロリーは、多くの薬剤アンプルを１回の移動で集約施設へ移動することを目的としていることから、比較的頑強な構造物となる。また、医療用バスケット３、３、・・・を複数備えることができる構造となっていることから、トロリー１個あたりの単価が高価となる。
【０００７】
複数階に病室を有する病院では、薬剤の誤った投与を防止すべく、各階ごとに薬剤アンプルの集約を行う。しかし、経営効率上、高価なトロリーを各階専用に配備することは困難であり、各階の集約施設を順次回送して、必要な薬剤アンプルを抽出・分類する作業工程となり、人為的ミスが介在する可能性が高くなるという問題点があった。
【０００８】
すなわち、薬剤アンプル払出装置から排出された薬剤アンプルの表面に、薬剤の種類、投与対象者、投与条件、病室番号等が印字されたシール状の識別情報が貼付してあるが、各階ごと、患者ごとに必要な薬剤アンプルを取り分けは、ナースステーション等の集約施設で人間の手によって行われており、薬剤アンプル払出装置で患者別／施用別にセットアップを行って薬剤アンプルを排出しているにもかかわらず、人間の手による集配作業が介在することにより、薬剤アンプルの取り揃えミスの防止効果が半減する。
【０００９】
また、１回の薬剤アンプル排出から、実際に投与が必要な患者へ移送されるまでに、トロリーを各階の集約施設を回送し、各集約施設ごとに必要な薬剤アンプルを抽出・分類する必要が有ることから、患者の元に配送されるまでに相当の時間を要するという問題点もあった。さらに、１回の薬剤アンプの排出量が少ない場合であっても、大型のトロリーを用いて薬剤アンプルの移送を行うことになり、無駄な労力が発生していた。
【００１０】
本発明は、上記事情を鑑みてなされたものであり、トロリーに備えた医療用バスケット内部に可動仕切りを設け、トロリーを小型化することにより、薬剤アンプルの取り揃えミスを防止することができ、患者への移送効率を向上することができる医療用バスケット内仕切り機構、及びトロリーを提供することを目的とする。
【課題を解決するための手段】
【００１１】
上記目的を達成するために第１発明に係る医療用バスケット内仕切り機構は、移送用のトロリーに搭載してあり、薬剤アンプルが横方向から搬入される略直方体形状の医療用バスケット内を仕切る医療用バスケット内仕切り機構であって、前記医療用バスケット内を仕切る仕切り部材と、前記医療用バスケットの前記薬剤アンプルが搬入される方向の両側端部に着脱可能にしてあり、前記仕切り部材を摺動可能に貫挿してある支持棒とを備え、前記仕切り部材は、前記薬剤アンプルが外部から搬入された場合に加わる衝撃荷重に応じて、前記支持棒に沿って摺動するよう構成してあることを特徴とする。
【００１２】
第１発明では、薬剤アンプルを移送するトロリーに搭載する略直方体形状の医療用バスケットの内部に、医療用バスケット内を仕切る仕切り部材と、医療用バスケットの薬剤アンプルが搬入される方向の両側端部に着脱可能にしてあり、仕切り部材が摺動可能に貫通してある支持棒とを備え、仕切り部材は、薬剤アンプル搬入により加わる衝撃荷重に応じて、支持棒に沿って摺動する。これにより、最初は仕切り部材及び支持棒を取り外した状態で薬剤アンプルを外部、例えば薬剤アンプル払出装置から搬入し、同一患者、同一病室、同一施用等の１グループに対応する薬剤アンプルの搬入が完了した時点で仕切り部材及び支持棒を医療用バスケット内に取り付ける。そして、次の同一患者、同一病室、同一施用等の１グループに対応する薬剤アンプルの搬入を開始する。薬剤アンプルの搬入に伴う仕切り部材への衝撃荷重により、仕切り部材は当初から搬入していた１グループに係る薬剤アンプルを搬入していた空間に空き空間を残さないように移動し、第２のグループに係る薬剤アンプルを搬入する。
【００１３】
したがって、仕切り部材の数を搬入する薬剤アンプルのグループ数に応じて変化させることにより、１つの医療用バスケット内に複数のグループに係る薬剤アンプルを搬入することができる。しかも、集約施設において、再度人間の手によって薬剤アンプルを所定のグループ単位に分類する必要がなく、薬剤アンプルの取り揃えミスを防止することも可能となる。
【００１４】
また、１つのトロリーでより多くのグループに係る薬剤アンプルを、再度分類することなく必要とする場所まで搬送することができ、搬送効率を向上させることが可能となる。さらに、より柔軟なグループ分けに対応することができることから、排出される薬剤アンプルの量に応じた小型のトロリーを用いることができ、必要としている患者の元へ薬剤アンプルを直接的に搬送することができ、より短い時間で薬剤投与の準備を完了することが可能となる。
【００１５】
また、第２発明に係る医療用バスケット内仕切り機構は、第１発明において、前記仕切り部材は、板状であり、その外周にリブを設けてあることを特徴とする。
【００１６】
第２発明では、仕切り部材が板状であることから、薬剤アンプルの搬入による衝撃荷重を確実に仕切り部材で吸収することができ、搬入される薬剤アンプルに応じて搬入される方向と反対側へ仕切り部材を摺動させることが可能となる。
【００１７】
また、第３発明に係る医療用バスケット内仕切り機構は、第１又は第２発明において、前記仕切り部材は、前記医療用バスケットの開口部側への突出部を有し、該突出部は、前記医療用バスケットの開口部側で前記リブに係脱することが可能に構成してあることを特徴とする。
【００１８】
第３発明では、仕切り部材の医療用バスケットの開口部側でリブに係脱することが可能な突出部を設ける。これにより、医療用バスケット内に搬入された薬剤アンプルがどのような分類条件で搬入されたものであるか等の情報を、例えばシール状の用紙に印字して突出部に貼付することにより、容易に確認することができ、薬剤アンプルの搬送先の錯誤、薬剤アンプルの取り揃えミス等を防止することが可能となる。
【００１９】
また、第４発明に係るトロリーは、第１乃至第３発明のいずれか１つの医療用バスケット内仕切り機構を有する医療用バスケットを備えることを特徴とする。
【００２０】
第４発明では、上述した医療用バスケット内仕切り機構を備えるトロリーを用いることにより、１つの医療用バスケット内に複数のグループに係る薬剤アンプルを搬入することができ、集約施設において、人間の手によって薬剤アンプルを所定のグループ単位に再度分類する必要がなく、薬剤アンプルの取り揃えミスを防止することが可能となる。
【００２１】
また、１つのトロリーでより多くのグループに係る薬剤アンプルを、再度分類することなく必要とする場所まで搬送することができ、搬送効率を向上させることが可能となる。さらに、より柔軟なグループ分けに対応することができることから、排出される薬剤アンプルの量に応じた小型のトロリーを用いることができ、必要としている患者の元へ薬剤アンプルを直接的に搬送することができ、より短い時間で薬剤投与の準備を完了することが可能となる。
【発明の効果】
【００２２】
第１発明によれば、仕切り部材の数を搬入する薬剤アンプルのグループ数に応じて変化させることにより、１つの医療用バスケット内に複数のグループに係る薬剤アンプルを搬入することができる。しかも、集約施設において、再度人間の手によって薬剤アンプルを所定のグループ単位に分類する必要がなく、薬剤アンプルの取り揃えミスを防止することが可能となる。
【００２３】
また、１つのトロリーでより多くのグループに係る薬剤アンプルを、再度分類することなく必要とする場所まで搬送することができ、搬送効率を向上させることが可能となる。さらに、より柔軟なグループ分けに対応することができることから、排出される薬剤アンプルの量に応じた小型のトロリーを用いることができ、必要としている患者の元へ薬剤アンプルを直接的に搬送することができ、より短い時間で薬剤投与の準備を完了することが可能となる。
【００２４】
第２発明によれば、仕切り部材が板状であることから、薬剤アンプルの搬入による衝撃荷重を確実に仕切り部材で吸収することができ、搬入される薬剤アンプルに応じて搬入される方向と反対側へ仕切り部材を摺動させることが可能となる。
【００２５】
第３発明によれば、医療用バスケット内に搬入された薬剤アンプルがどのような分類条件で搬入されたものであるか等の情報を、例えばシール状の用紙に印字して突出部に貼付することにより、容易に確認することができ、薬剤アンプルの搬送先の錯誤、薬剤アンプルの取り揃えミス等を防止することが可能となる。
【００２６】
第４発明によれば、１つの医療用バスケット内に複数のグループに係る薬剤アンプルを搬入することができ、集約施設において、人間の手によって薬剤アンプルを所定のグループ単位に再度分類する必要がなく、薬剤アンプルの取り揃えミスを防止することが可能となる。
【００２７】
また、１つのトロリーでより多くのグループに係る薬剤アンプルを、再度分類することなく必要とする場所まで搬送することができ、搬送効率を向上させることが可能となる。さらに、より柔軟なグループ分けに対応することができることから、排出される薬剤アンプルの量に応じた小型のトロリーを用いることができ、必要としている患者の元へ薬剤アンプルを直接的に搬送することができ、より短い時間で薬剤投与の準備を完了することが可能となる。
【発明を実施するための最良の形態】
【００２８】
以下に、本発明をその実施の形態を示す図面に基づいて説明する。図１は、本発明の実施の形態に係る医療用バスケット内仕切り機構を適用した医療用バスケットの要部構成を示す斜視図である。
【００２９】
図１において、医療用バスケット１１は、略方形状であり、上部に開口面を有している。医療用バスケット１１は、トロリーに搭載することができるように、開口面部分に張り出し部１２を全周にわたり設けている。医療用バスケット１１を白矢印で示す方向に移動してトロリーに搭載する場合、トロリー内部に白矢印方向に配設してあるガイド部材１３、１３上に張り出し部１２を載置し、医療用バスケット１１をガイド部材１３、１３に沿って摺動する。
【００３０】
張り出し部１２には、４つの隅部に、医療用バスケット１１の開口面を挟んで互いに対向する位置に８つの孔部１４、１４、・・・を設けてある。対向する孔部１４、１４に一組の支持棒取付部材１５、１５を掛止することにより、１本の支持棒を医療用バスケット１１内に取り付けることができる。なお、孔部１４、１４、・・・の開口形状は、方形であっても、円形であっても良い。
【００３１】
図２（ａ）は、本発明の実施の形態に係る支持棒取付部材１５の斜視図であり、図２（ｂ）は、支持棒取付部材１５、１５を用いた支持棒１６を取り付ける方法を示す医療用バスケット１１の底面に略直交し、支持棒１６を含む面での断面図である。支持棒取付部材１５は合成樹脂製であり、屈曲部１５１を中心として支持部１５２とシャフト固定部１５３とで構成してある。支持部１５２には、張り出し部１２に設けてある孔部１４、１４、・・・に挿入することが可能な突起部１５４を設けている。シャフト固定部１５３には、支持棒１６を挿入することが可能な支持孔１５５、及び支持棒１６を支持孔１５５まで誘導するための誘導溝１５６を設けてある。
【００３２】
そして、一組の支持棒取付部材１５、１５を、支持孔１５５、１５５が対向するように配設する。すなわち張り出し部１２に備えてある孔部１４、１４に、支持棒取付部材１５、１５の突起部１５４、１５４を挿入し、支持棒１６を誘導溝１５６、１５６に沿って支持孔１５５、１５５に嵌入すべく上方へ引き上げる。
【００３３】
シャフト固定部１５３は、屈曲部１５１を中心として板ばねと同様に弾性力により現在の形状を維持しようと機能する。したがって、支持棒１６を誘導溝１５６、１５６に沿って支持孔１５５、１５５に嵌入すべく上方へ引き上げた場合、シャフト固定部１５３、１５３は医療用バスケット１１の内壁部側へ押圧により変形し、誘導溝１５６、１５６間の間隔が広がって、支持棒１６を支持孔１５５、１５５の位置にまで引き上げることができる。
【００３４】
支持棒１６の両端が支持孔１５５、１５５に嵌入した場合、支持棒１６によるシャフト固定部１５３、１５３に対する押圧が消滅し、シャフト固定部１５３、１５３は弾性力により支持棒１６側に戻され、支持棒１６が支持孔１５５、１５５に嵌入されて下方へ抜け落ちない状態で固定される。
【００３５】
支持棒１６を一組の支持棒取付部材１５、１５を介して医療用バスケット１１に取り付ける場合、支持棒１６、１６を２本一組で取り付け、取り付ける前に支持棒１６、１６を仕切り部材１７に挿通しておく。図３（ａ）は、仕切り部材１７の構成を示す斜視図であり、図３（ｂ）は、仕切り部材１７の支持棒１６の長手方向に略直交する面での断面図である。
【００３６】
仕切り部材１７は、医療用バスケット１１に配設する支持棒１６、１６と略直交する面での断面形状に準ずる形状の板材で構成してあり、平板上であるプレート部１７１と、プレート部１７１の周囲にリブ１７２を設けている。
【００３７】
リブ１７２の医療用バスケット１１の底面側には、図３（ｂ）に示すように、内部に空洞部１７３を備えており、空洞部１７３には、鉛等の重量物を充填してある。これにより、仕切り部材１７を医療用バスケット１１内に配設し、薬剤アンプルを搬入することにより、プレート部１７１に衝撃荷重が加わった場合、プレート部１７１が傾斜したときでも、空洞部１７３に充填してある重量物がカウンタウエイトとして機能し、支持棒１６、１６に対して略直交する状態へと戻ることができる。したがって、仕切り部材１７は、支持棒１６、１６に沿って確実に摺動することが可能となる。
【００３８】
また、リブ１７２の医療用バスケット１１の開口面側に、着脱可能な突出部１９を設けても良い。図４は、突出部１９の構成を示す斜視図である。
【００３９】
突出部１９も合成樹脂製であり、板状部材を屈曲部１９１で折り曲げ、両端部にリブ１７２に対して仕切り部材１７のリブ長方向で嵌合することが可能な嵌合部１９２、１９２を備えている。リブ１７２には、屈曲部１９１を中心に嵌合部１９２、１９２間の距離を押し広げながら嵌合させる。
【００４０】
突出部１９は、例えば識別カード挿入部１９３を有し、例えば「５階５０７病室のＡ氏」というような薬剤アンプルの移送先を印字したカードを挿入することにより、医療用バスケット内に搬入された薬剤アンプルがどのような分類条件で搬入されたものであるか等の情報を確認することができ、薬剤アンプルの搬送先の錯誤、薬剤アンプルの取り揃えミス等を防止することが可能となる。
【００４１】
なお、突出部１９の形状は、斯かる形状に限定されるものではなく、識別カード挿入部１９３を有さず、例えば「５階５０７病室のＡ氏」というような薬剤アンプルの移送先を印字したシール状用紙を、板状部分に直接貼付しても良いし、表裏に薬剤アンプルの移送先を印字したシール状用紙を貼付することができる板状部材でも良い。
【００４２】
図５は、突出部１９の他の構成を示す斜視図である。図５に示すように、表裏に薬剤アンプルの移送先を印字したシール状用紙を貼付することができる板状部材５１の下部に、仕切り部材１７のリブ１７２の医療用バスケット１１の開口面側に着脱することが可能な鉤部５２を設けてある。鉤部５２はリブ１７２を医療用バスケット１１に取り付ける前に、仕切り部材１７の横方向から摺動させてリブ１７２に係合させる。これにより、仕切り部材１７で区切られた領域内に搬入されている薬剤アンプルを容易に識別することが可能となる。
【００４３】
図６は、病院内の薬剤アンプル配布方法の説明図である。薬剤アンプル払出装置６１の薬剤アンプル制御コンピュータ６１１は、院内ＬＡＮ６２を介してデータを送受信することが可能な端末装置６３、６３、・・・に接続してある。端末装置６３、６３、・・・は、病院内の各病棟に配設してあり、患者に投与する必要のある薬剤に関する情報を入力する。
【００４４】
端末装置６３、６３、・・・で入力された薬剤に関する情報は、院内ＬＡＮ６２を介して薬剤アンプル制御コンピュータ６１１に送信され、薬剤アンプル制御コンピュータ６１１は、受信した薬剤に関する情報に基づいて、患者別、病室別、階別、施用別等のグループに分類して、必要とされる薬剤アンプルを分類して、排出口６１２に横付けしてあるトロリー６４の医療用バスケット内に排出する。
【００４５】
トロリー６４は、患者別、病室別、階別、施用別等のグループに対応することが可能な仕切り機構を有する医療用バスケット１１を搭載している本実施の形態に係るトロリー６４を使用する。例えば、同一階の病室に入院している患者に対する薬剤アンプルを１つのトロリー６４に集中して搬出して移送する。
【００４６】
トロリー６４への薬剤アンプルの搬入は、グループ単位で行う。具体的には、最初は医療用バスケット１１に仕切り機構を配設することなく、第１のグループ、例えば６階に入院している６０１号室のＡ氏、Ｂ氏、Ｃ氏に投与する薬剤アンプルを排出する。第１のグループの薬剤アンプルの搬入が完了した時点で、医療用バスケット１１に仕切り機構を配設し、第２のグループ、例えば６階の６０２号室に入院しているＤ氏、Ｅ氏に投与する薬剤アンプルを搬入する。
【００４７】
トロリー６４は、医療用バスケット１１を１乃至２個搭載することができる小型のトロリーであり、看護婦等のトロリー運搬者は、薬剤アンプル払出装置６１から薬剤アンプルを搬入した状態のまま、移送先へトロリー６４を移動することができ、集約施設等で看護婦等により、投与する患者ごとに再度分類する必要がない。
【００４８】
以上のように本実施の形態によれば、仕切り部材の数を搬入する薬剤アンプルのグループ数に応じて変化させることにより、１つの医療用バスケット１１内に複数のグループに係る薬剤アンプルを搬入することができる。しかも、集約施設において、再度人間の手によって薬剤アンプルを所定のグループ単位に分類する必要がないことから、薬剤アンプルの取り揃えミスを防止することが可能となる。
【００４９】
また、１つのトロリーでより多くのグループに係る薬剤アンプルを、再度分類することなく必要とする場所まで搬送することができ、搬送効率を向上させることが可能となる。さらに、より柔軟なグループ分けに対応することができることから、排出される薬剤アンプルの量に応じた小型のトロリーを用いることができ、必要としている患者の元へ薬剤アンプルを直接的に搬送することができ、より短い時間で薬剤投与の準備を完了することが可能となる。
【００５０】
また、医療用バスケット内に搬入された薬剤アンプルがどのような分類条件で搬入されたものであるか等の情報を、例えばシール状の用紙に印字して突出部に貼付することにより、容易に確認することができ、薬剤アンプルの搬送先の錯誤、薬剤アンプルの取り揃えミス等を防止することが可能となる。
【図面の簡単な説明】
【００５１】
【図１】本発明の実施の形態に係る医療用バスケット内仕切り機構を適用した医療用バスケットの要部構成を示す斜視図である。
【図２】（ａ）は、本発明の実施の形態に係る支持棒取付部材１５の斜視図であり、（ｂ）は、支持棒取付部材を用いた支持棒を取り付ける方法を示す医療用バスケットの底面に略直交し、支持棒を含む面での断面図である。
【図３】（ａ）は、仕切り部材の構成を示す斜視図であり、（ｂ）は、仕切り部材の支持棒の長手方向に略直交する面での断面図である。
【図４】突出部の構成を示す斜視図である。
【図５】突出部の他の構成を示す斜視図である。
【図６】病院内の薬剤アンプル配布方法の説明図である。
【図７】薬剤アンプルを移送する医療用バスケットを運搬する従来のトロリーの斜視図である。
【符号の説明】
【００５２】
１１  医療用バスケット
１５  支持棒取付部材
１６  支持棒
１７  仕切り部材
１９  突出部
１７１  プレート部
１７２  リブ
【図１】
2006167047.tif 000003
【図２】
2006167047.tif 000004
【図３】
2006167047.tif 000005
【図４】
2006167047.tif 000006
【図５】
2006167047.tif 000007
【図６】
2006167047.tif 000008
【図７】
2006167047.tif 000009